(57)【要約】【課題】  ネット等の部品を省略できて、生産コストを抑えることができると共に、任意の箇所で植生基盤材と浮力体を一体化させることができて、植物や野鳥の重量を均等に支えることが可能で、外観上も人工的な構造物に見え難くすることが可能な植生浮島を提供する【解決手段】  植物等を植設するための植生基盤材１に、植設される植物等を含む植生基盤材１を浮かべるための浮力体２を配置し、浮力体２に植生基盤材１にわたって合成樹脂を付着させることにより被膜３を形成して、植生基盤材１と浮力体２を一体化させた。【選択図】        図２
2006000027.tif 000002
【特許請求の範囲】
【請求項１】
植物等を植設させて湖沼，河川，ダム等の水域に浮遊設置される植生浮島において、植物等を植設するための植生基盤材に、植設される植物等を含む植生基盤材を浮かべるための浮力体を配置し、浮力体に植生基盤材にわたって合成樹脂を付着させることにより被膜を形成して、植生基盤材と浮力体を一体化させたことを特徴とする植生浮島。
【請求項２】
前記植生基盤材に前記浮力体を均等に配置し、浮力体に植生基盤材にわたって合成樹脂を付着させることにより被膜を形成して、植生基盤材と浮力体を一体化させたことを特徴とする請求項１記載の植生浮島。
【請求項３】
前記浮力体を前記植生基盤材の裏面側に配置したり、浮力体の露出部全面に植生基盤材にわたって合成樹脂を付着させることにより被膜を形成して、植生基盤材と浮力体を一体化させたことを特徴とする請求項１又は請求項２記載の植生浮島。
【請求項４】
前記合成樹脂を前記植生基盤材の任意の箇所に付着させることを特徴とする請求項１ないし請求項３のいずれかに記載の植生浮島。
【発明の詳細な説明】
【技術分野】
【０００１】
本願発明は、湖沼，河川，ダム等の水域において、生物生息空間の創造、水質浄化、修景等といった自然環境の保全や回復を図ることを目的として、自然環境を損なうことなくして人工的に水面を緑化する植生浮島に関するものである。
【背景技術】
【０００２】
従来の植生浮島は、ヤシ繊維や合成繊維等の植生基盤の周辺や内部に浮力体を配置し、その全体をネットで包み込むようなタイプ、例えば、特許文献１や特許文献２等に示される植生浮島が多く見られる。
【０００３】
また、植物を支持する平面的若しくは立体的な部材である植物支持材と、植物が植生された植物支持材を浮かべる適当な浮力をもち、植物支持材の端部に固定されたフロートのみからなる構造の特許文献３のような植生浮島が提案されている。
【特許文献１】特開平０９−１５４４２２号公報
【特許文献２】特開２００２−２２３６４９号公報
【特許文献３】特開２００３−１５８９２６号公報
【発明の開示】
【発明が解決しようとする課題】
【０００４】
上記特許文献１や特許文献２に開示の構造の植生浮島は比較的安価ではあるが部品点数が多く、効果的な規模を設置するにはまだ高価なものになっている。
【０００５】
一方、上記特許文献３に開示の構造の植生浮島では、独立したフロートを植物支持材の端部にしか有しないために、植物や野鳥の重量が加わると植物支持材が部分的に水中に没っし易いことより、植物の種類が限られたり、野鳥の休息地としては適さない等の課題がある。また、フロートが独立して水面上に露出しているので外観上、いかにも人工的で修景等の観点からは好ましくないものになっている。
【０００６】
そこで、本願発明はこのような課題を解決するためになされたものであり、ネット等の部品を省略できて、生産コストを抑えることができると共に、任意の箇所で植生基盤材と浮力体を一体化させることができて、植物や野鳥の重量を均等に支えることが可能で、外観上も人工的な構造物に見え難くすることが可能な植生浮島を提供することを目的とするものである。
【課題を解決するための手段】
【０００７】
上記のような目的を達成するために、本願発明に係る植生浮島は、植物等を植設させて湖沼，河川，ダム等の水域に浮遊設置される植生浮島において、植物等を植設するための植生基盤材に、植設される植物等を含む植生基盤材を浮かべるための浮力体を配置し、浮力体に植生基盤材にわたって合成樹脂を付着させることにより被膜を形成して、植生基盤材と浮力体を一体化させたことを特徴とするものである。
【０００８】
また、前記植生基盤材に前記浮力体を均等に配置し、浮力体に植生基盤材にわたって合成樹脂を付着させることにより被膜を形成して、植生基盤材と浮力体を一体化させたことを特徴とするものである。
【０００９】
また、前記浮力体を前記植生基盤材の裏面側に配置したり、浮力体の露出部全面に植生基盤材にわたって合成樹脂を付着させることにより被膜を形成して、植生基盤材と浮力体を一体化させたことを特徴とするものである。
【００１０】
また、前記合成樹脂を前記植生基盤材の任意の箇所に付着させることを特徴とするものである。
【発明の効果】
【００１１】
本願発明によれば、浮力体に植生基盤材にわたって合成樹脂を付着させることにより被膜を形成して、植生基盤材と浮力体を一体化させたことにより、ネットなどの部品を省略することで、簡易な構造となりコストを安価にすることができる。また、任意の箇所で植生基盤材と浮力体を一体化させることができて、植物や野鳥の重量を均等に支えることが可能で、外観上も人工的な構造物に見え難くすることが可能となる。
【００１２】
具体的には、植生基盤材に浮力体を均等に配置し、浮力体に植生基盤材にわたって合成樹脂を付着させることにより被膜を形成して、植生基盤材と浮力体を一体化させたことにより、植物や野鳥の重量を均等に支えることができる。
【００１３】
また、浮力体を植生基盤材の裏面側に配置したり、浮力体の露出部全面に植生基盤材にわたって合成樹脂を付着させることにより被膜を形成して、植生基盤材と浮力体を一体化させたことにより、外観上も人工的な構造物に見え難くすることができる。
【００１４】
また、合成樹脂を植生基盤材の任意の箇所に付着させることにより、部分的または全体的な剛性や強度を容易に上げることができる。
【発明を実施するための最良の形態】
【００１５】
以下、本願発明の実施形態を図面を参照して詳細に説明する。
【００１６】
図１は、本願発明に係る植生浮島の一実施形態の基本的構成を示す平面図、図２はそのＡ−Ａ断面図である。
【００１７】
本実施形態の植生浮島Ｆは、ほぼ正方形の植生基盤材１の裏面側に、一辺からその対向辺にわたる溝状部を両側近傍とその間に均等に４本形成して、それぞれに発泡スチロール等から成る角材状の浮力体２を配置し、それぞれの浮力体２の裏面側露出部と側面側露出部全面に植生基盤材１にわたって合成樹脂を付着させることにより合成樹脂被膜３を形成して、植生基盤材１と浮力体２を一体化させたものである。
【００１８】
上記植生基盤材１には、各浮力体２間に、後述する水性植物等を植設するための複数の植生穴４が形成されていると共に、周辺部には、後述する係留ロープや隣接する植生浮島等との連結用孔５が表裏に貫通して複数形成されている。本実施形態においては、この連結用孔５の表裏開口部分にも合成樹脂を付着させることで合成樹脂被膜３を形成して、連結用孔５の強度を上げるようにしている。
【００１９】
上記植生基盤材１としては、ポリエチレンやポリプロピレンのようなオレフィン系の合成樹脂を材料とした太さが１〜２ｍｍ程度の連続糸を不規則にループ状に絡ませて形成された網状体が、軽量で適度の剛性と空隙を有していることから適している。
【００２０】
一方、浮力体２としては、発泡スチロールや発泡ポリエチレンが軽量で安価なため適している。耐久性が必要な場合は、ポリエチレンの中空品が適度な強度を有し比較的安価なため適している。
【００２１】
また、付着させる合成樹脂としては、ポリウレタンやポリウレア等の材料が適度の強度と成形性を有しているので適しており、例えば、それらの樹脂材を植生基盤材１と浮力体２等に吹付けることにより、合成樹脂被膜３を容易に形成することができる。
【００２２】
上記のように構成された植生浮島Ｆは、図３に示すように、水生植物等の植物６が植設されて、湖沼，河川，ダム等の水域に設置され、水面W.L.上に浮遊した状態で、植設された植物６の根７が水中に伸び、水中に含まれる有機物等の栄養分が根７から植物６に吸収されることにより、水質浄化の作用が効果的に発揮される。
【００２３】
水面W.L.上に浮遊した状態の植生浮島Ｆは、前記図１，図２に示したように植生基盤材１に形成されて合成樹脂被膜３で補強された連結用孔４に係留索８が繋がれ、この係留索８の他端に繋がれたアンカー（錨）９が水底１０に没せられることにより係留固定されて、この水域１１における生物生息空間の創造、水質浄化、修景等といった自然環境の保全や回復が図られる。
【００２４】
なお、図３では、植生浮島Ｆが一つの場合を示したが、連結用孔４を用いて複数の植生浮島Ｆを連結索等で連結して浮遊設置することが可能である。
【００２５】
上述したように、本実施形態の植生浮島Ｆは、植生基盤材１と浮力体２を合成樹脂被膜３で一体化することによりネット等を省略でき、生産コストを抑えることができる。
【００２６】
また、任意の箇所で植生基盤材１と浮力体２を容易に一体化させることができるので、上記実施形態のように植生基盤材１に浮力体２を均等に配置し、浮力体２に植生基盤材１にわたって合成樹脂を付着させることにより合成樹脂被膜３を形成して、植生基盤材１と浮力体２を一体化させることにより、植物や野鳥の重量を均等に支えることができる。
【００２７】
また、上記実施形態の連結用孔５や他の任意の箇所に合成樹脂を付着させ、更には合成樹脂の付着量を調整することにより、部分的または全体的に任意の剛性を有する植生浮島Ｆを提供することができる。
【００２８】
さらに、浮力体２の露出部全面が合成樹脂被膜３で覆われて植生基盤材１と一体化することにより、浮力体２が水面上に露出しないため、外観上人工的な構造物に見え難くなる。
【００２９】
また、部品点数を最小限にすることで植生浮島Ｆの耐久性も向上する。
【００３０】
図４は、本願発明に係る植生浮島の他の実施形態の基本的構成を示す平面図、図５はそのＢ−Ｂ断面図であり、前記実施形態と同一又は相当部分には同一符号を用いている。
【００３１】
本実施形態では、浮力体２を円柱状に形成し、植生基盤材１の裏面側から全面にわたって点状に多数の円柱状浮力体２を均等に配置し、それぞれの浮力体２の裏面側露出部全面に植生基盤材１にわたって合成樹脂を付着させることにより合成樹脂被膜３を形成して、植生基盤材１と浮力体２を一体化させたものである。
【００３２】
このように構成しても、前記実施形態と同様な作用効果が得られると共に、浮力体２が水面上に全く露出しなくなるので、より一層、外観上人工的な構造物に見え難くなる。
【００３３】
図６は、本願発明に係る植生浮島の更に他の実施形態の基本的構成を示す平面図、図７はそのＣ−Ｃ断面図であり、前記各実施形態と同一又は相当部分には同一符号を用いている。
【００３４】
本実施形態では、浮力体２をほぼ正方形の植生基盤材１の周辺（４辺）に均等に連続配置して、浮力体２の上下側面側露出部全面に植生基盤材１にわたって合成樹脂を付着させることにより合成樹脂被膜３を形成して、植生基盤材１と浮力体２を一体化させたものである。
【００３５】
このように構成しても、前記実施形態と同様な作用効果が得られると共に、植生基盤材１の周辺部の水没を確実に防ぐことができる。本実施形態の構成は、中央部に浮力体がないので比較的小型の植生浮島Ｆに適用して好適であるが、小型の植生浮島Ｆを連結用孔５を用いて複数連結して浮遊設置することにより、広い面積の植生浮島とすることが可能である。
【００３６】
なお、上記各実施形態では植生基盤材１をほぼ正方形としたが、本願発明はこれに限らず、円形や正方形以外の多角形でも実施可能で、植生基盤材の形状に合わせて浮力体を配置すればよい。
【図面の簡単な説明】
【００３７】
【図１】本願発明に係る植生浮島の一実施形態の基本的構成を示す平面図。
【図２】図１のＡ−Ａ断面図。
【図３】上記植生浮島の浮遊設置状態を説明するための側面図。
【図４】本願発明に係る植生浮島の他の実施形態の基本的構成を示す平面図。
【図５】図４のＢ−Ｂ断面図。
【図６】本願発明に係る植生浮島の更に他の実施形態の基本的構成を示す平面図。
【図７】図６のＣ−Ｃ断面図。
【符号の説明】
【００３８】
Ｆ  浮遊浮島
１  植生基盤材
２  浮力体
３  合成樹脂被膜
４  植生穴
５  連結用孔
６  植物
７  根
８  係留索
９  アンカー
１０  水底
１１  水域
【図１】
2006000027.tif 000003
【図２】
2006000027.tif 000004
【図３】
2006000027.tif 000005
【図４】
2006000027.tif 000006
【図５】
2006000027.tif 000007
【図６】
2006000027.tif 000008
【図７】
2006000027.tif 000009